(57)【要約】  本発明はダウンリンクパワー調整の通知方法及び装置、ダウンリンクパワー調整の取得方法及び装置を開示し、該通知方法は、少なくとも発見信号パワーの不変を保持し或いは発見信号のパワーを調整することにより自己適応調整を実現し、自己適応調整後に構成されたパワーパラメータを端末、及び／又は隣接したスモールセル、及び／又はマクロセルに通知することを含む。【選択図】図３
2016529816.tif 000002
【特許請求の範囲】
【請求項１】
ダウンリンクパワー調整の通知方法であって、
少なくとも発見信号パワーの不変を保持し或いは少なくとも発見信号のパワーを調整することにより自己適応調整を実現し、自己適応調整後に構成されたパワーパラメータを端末、及び／又は隣接したスモールセル、及び／又はマクロセルに通知する、前記方法。
【請求項２】
前記少なくとも発見信号パワーの不変を保持し或いは少なくとも発見信号のパワーを調整することにより自己適応調整を実現することは、
ダウンリンクチャネルと基準信号の送信パワーを調整し、かつ発見信号のパワーを不変にし、或いは、ダウンリンクチャネルと基準信号の送信パワーを調整せず、かつ発見信号のパワーを調整することにより自己適応調整を実現することを含むことを特徴とする
請求項１に記載の方法。
【請求項３】
前記自己適応調整後に構成されたパワーパラメータを前記端末に通知することは、
前記スモールセルがダウンリンクパワーの自己適応調整を行った後に前記通知をトリガーし、前記スモールセルは前記パワーパラメータを端末に通知することを含み、前記パワーパラメータは少なくとも発見信号の関連パワーパラメータを含むことを特徴とする
請求項１に記載の方法。
【請求項４】
前記スモールセルが前記パワーパラメータを端末に通知する方式は、
前記スモールセルが、直接調整後の発見信号のパワーを無線リソース制御（ＲＲＣ）シグナリングによって前記端末に通知すること、
前記スモールセルが、発見信号のパワーと基準信号のパワー（ｒｅｆｅｒｅｎｃｅＳｉｇｎａｌＰｏｗｅｒ）の係数関係或いは偏差をＲＲＣシグナリングによって前記端末に通信すること、
前記スモールセルが、発見信号のパワー変化値をＲＲＣシグナリングによって前記端末に通知することのうちのいずれか一つを含むことを特徴とする
請求項３に記載の方法。
【請求項５】
前記自己適応調整後に構成されたパワーパラメータを前記隣接したスモールセル、及び／又は前記マクロセルに通知することは、
前記スモールセルのカバレッジを収縮し或いは拡大する前に、或いは発見信号のパワーを調整する前に、隣接したスモールセルとエッジ端末に対し協力処理を行う必要があり、前記スモールセルが前記パワーパラメータを前記隣接したスモールセル、及び／又は前記マクロセルに通知することを含み、前記パワーパラメータは少なくとも発見信号の関連パワーパラメータを含むことを特徴とする
請求項１に記載の方法。
【請求項６】
前記スモールセルが前記パワーパラメータを前記隣接したスモールセル、及び／又は前記マクロセルに通知する方式は、
前記スモールセルが、発見信号のパワー、及び／又は他のダウンリンクチャネル／信号のパワーを、Ｘ２インタフェースによって前記隣接したスモールセル、及び／又は前記マクロセルに通知すること、
前記スモールセルが、発見信号のパワー調整値、及び／又は他のダウンリンクチャネル／信号のパワー調整値を、Ｘ２インタフェースによって前記隣接したスモールセル、及び／又は前記マクロセルに通知すること、
前記スモールセルが、発見信号とダウンリンクチャネル／信号パワー調整との相対関係を、Ｘ２インタフェースによって前記隣接したスモールセル、及び／又は前記マクロセルに通知することのうちのいずれか一つを含むことを特徴とする
請求項５に記載の方法。
【請求項７】
前記発見信号の測定に基づいてダウンリンクパワーの自己適応調整を行うことは、
端末からの発見信号の測定に基づいて得られた測定報告を受信し、前記測定報告に基づいて前記パワーパラメータを構成し、ダウンリンクパワーの自己適応調整を行うことを含むことを特徴とする
請求項１〜６のいずれか１項に記載の方法。
【請求項８】
端末からの発見情報を受信し、前記発見情報および前記測定報告に基づいて前記パワーパラメータを構成し、ダウンリンクパワーの自己適応調整を行うことを含むことを特徴とする
請求項７に記載の方法。
【請求項９】
前記測定報告に基づいて前記パワーパラメータを構成し、ダウンリンクパワーの自己適応調整を行うことは、
前記発見信号を送信する前記スモールセルが休止状態にある場合、マクロセルが前記スモールセルを活性化するか否かを決定し、かつ前記測定報告に基づいて対応するパワーでダウンリンクチャネル、基準信号および発見信号が含まれている情報を送信することを決定すること、
前記発見信号を送信する前記スモールセルが活性化状態にある場合、前記スモールセルが前記測定報告に基づいて対応するパワーで自己適応調整を行うか否かを決定することを含むことを特徴とする
請求項７に記載の方法。
【請求項１０】
ダウンリンクパワー調整の通知装置であって、
少なくとも発見信号パワーの不変を保持し或いは少なくとも発見信号のパワーを調整することにより自己適応調整を実現した後に、自己適応調整後に構成されたパワーパラメータを端末、及び／又は隣接したスモールセル、及び／又はマクロセルに通知するように構成される通知ユニットを含む、前記装置。
【請求項１１】
前記通知ユニットは、さらに少なくとも発見信号パワーの不変を保持し或いは少なくとも発見信号のパワーを調整することにより自己適応調整を実現することは、ダウンリンクチャネルと基準信号の送信パワーを調整し、かつ発見信号のパワーを不変にし、或いは、ダウンリンクチャネルと基準信号の送信パワーを調整せず、かつ発見信号のパワーを調整することにより自己適応調整を実現するように構成されることを特徴とする
請求項１０に記載の装置。
【請求項１２】
前記通知ユニットは、前記スモールセルがダウンリンクパワーの自己適応調整を行った後に前記通知をトリガーし、前記スモールセルは前記パワーパラメータを端末に通知するように構成され、前記パワーパラメータは少なくとも発見信号の関連パワーパラメータを含むことを特徴とする
請求項１０に記載の装置。
【請求項１３】
前記通知ユニットは、前記パワーパラメータを端末に通知する方式が、
直接調整後の発見信号のパワーを無線リソース制御（ＲＲＣ）シグナリングによって前記端末に通知すること、
発見信号のパワーと基準信号のパワー（ｒｅｆｅｒｅｎｃｅＳｉｇｎａｌＰｏｗｅｒ）の係数関係或いは偏差をＲＲＣシグナリングによって前記端末に通信すること、
発見信号のパワー変化値をＲＲＣシグナリングによって前記端末に通知することのうちのいずれか一つを含むように構成されることを特徴とする
請求項１２に記載の装置。
【請求項１４】
前記通知ユニットは、前記スモールセルのカバレッジを収縮し或いは拡大する前に、或いは発見信号のパワーを調整する前に、隣接したスモールセルとエッジ端末に対し協力処理を行う必要があり、前記スモールセルが前記パワーパラメータを前記隣接したスモールセル、及び／又は前記マクロセルに通知するように構成され、前記パワーパラメータは少なくとも発見信号の関連パワーパラメータを含むことを特徴とする
請求項１０に記載の装置。
【請求項１５】
前記通知ユニットは、前記パワーパラメータを前記隣接したスモールセル、及び／又は前記マクロセルに通知する方式が、
発見信号のパワー、及び／又は他のダウンリンクチャネル／信号のパワーを、Ｘ２インタフェースによって前記隣接したスモールセル、及び／又は前記マクロセルに通知すること、
発見信号のパワー調整値、及び／又は他のダウンリンクチャネル／信号のパワー調整値を、Ｘ２インタフェースによって前記隣接したスモールセル、及び／又は前記マクロセルに通知すること、
発見信号とダウンリンクチャネル／信号パワー調整との相対関係を、Ｘ２インタフェースによって前記隣接したスモールセル、及び／又は前記マクロセルに通知することのうちのいずれか一つを含むように構成されることを特徴とする
請求項１４に記載の装置。
【請求項１６】
端末からの発見信号の測定に基づいて得られた測定報告を受信するように構成される受信ユニットと、
測定報告に基づいて前記パワーパラメータを構成し、ダウンリンクパワーの自己適応調整を行うように構成される調整ユニットとを含むことを特徴とする
請求項１０〜１５のいずれか１項に記載の装置。
【請求項１７】
前記受信ユニットは、発見情報を受信するように構成され、
前記調整ユニットは、前記発見情報と前記測定報告に基づいて前記パワーパラメータを構成し、ダウンリンクパワーの自己適応調整を行うように構成されることを特徴とする
請求項１６に記載の装置。
【請求項１８】
前記調整ユニットは、前記発見信号を送信する前記スモールセルが休止状態にある場合、マクロセルが前記スモールセルを活性化するか否かを決定し、かつ前記測定報告に基づいて対応するパワーでダウンリンクチャネル、基準信号および発見信号が含まれている情報を送信することを決定し、或いは、前記発見信号を送信する前記スモールセルが活性化状態にある場合、前記スモールセルが前記測定報告に基づいて対応するパワーで自己適応調整を行うか否かを決定するように構成されることを特徴とする
請求項１６に記載の装置。
【請求項１９】
ダウンリンクパワー調整の取得方法であって、
端末、及び／又は隣接したスモールセル、及び／又はマクロセルが、自己適応調整後に構成されたパワーパラメータを受信することを含むことを特徴とする、前記方法。
【請求項２０】
前記端末が前記パワーパラメータを受信した後に、
前記パワーパラメータに基づいて発見信号を送信するスモールセルのその発見信号のパワー、発見信号及びダウンリンクチャネル／信号を取得し、端末は発見信号の測定に基づいてダウンリンクパスロスを算出し、アップリンクパスロスを得て、かつアップリンクのパワー割当に用いられることを含むことを特徴とする
請求項１９に記載の方法。
【請求項２１】
端末が発見信号の測定に基づいて、測定結果を前記スモールセルに報告して、活性化或いはスモールセル収縮の制御操作に用いられることを含むことを特徴とする
請求項２０に記載の方法。
【請求項２２】
前記隣接したスモールセル、及び／又は前記マクロセルが前記パワーパラメータを受信した後に、
前記パワーパラメータに基づいて発見信号を送信するスモールセルのその発見信号及びダウンリンクチャネル／基準信号のパワー変化情況を取得し、前記隣接したスモールセル、及び／又は前記マクロセル自身の負荷情況に合わせて、エッジ端末に対し協力処理を行い、前記パワーパラメータを干渉調整メカニズムに用いられることを含むことを特徴とする
請求項１９に記載の方法。
【請求項２３】
ダウンリンクパワー調整の取得装置であって、
端末、及び／又は隣接したスモールセル、及び／又はマクロセル側で自己適応調整後に構成されたパワーパラメータを受信するように構成されるパワーパラメータ受信ユニットを含む、前記装置。
【請求項２４】
前記パワーパラメータに基づいて発見信号を送信するスモールセルのその発見信号のパワー、発見信号及びダウンリンクチャネル／信号を取得し、端末側で発見信号の測定に基づいてダウンリンクパスロスを算出し、アップリンクパスロスを得て、かつアップリンクのパワー割当に用いられるように構成されるパワー割当ユニットを含むことを特徴とする
請求項２３に記載の装置。
【請求項２５】
端末側で発見信号の測定に基づいて、測定結果を前記スモールセルに報告して活性化或いはスモールセル収縮の制御操作に用いられるように構成される報告ユニットを含むことを特徴とする
請求項２４に記載の装置。
【請求項２６】
前記パワーパラメータに基づいて発見信号を送信するスモールセルのその発見信号及びダウンリンクチャネル／基準信号のパワー変化情況を取得し、前記隣接したスモールセル、及び／又は前記マクロセル自身の負荷情況に合わせて、エッジ端末に対し協力処理を行うように構成される協力ユニットと、
前記パワーパラメータを干渉調整メカニズムに用いられるように構成される干渉調整ユニットとを含むことを特徴とする
請求項２３に記載の装置。
【発明の詳細な説明】
【技術分野】
【０００１】
本発明は無線通信の分野に関し、特にロングタームエボリューション（ＬＴＥ，Ｌｏｎｇ  Ｔｅｒｍ  Ｅｖｏｌｕｔｉｏｎ）システムにおけるダウンリンクパワー調整の通知方法及び装置、ならびにダウンリンクパワー調整の取得方法及び装置に関する。
【背景技術】
【０００２】
スマート端末の広範な普及に従って、人々は無線通信エクスペリエンス、特に通信速度への要求がますます高くなる。ＬＴＥ規格及び後続規格の進化において、ユーザ感知及びシステムスループットを高め、特にホットスポットのスループットを高めるために、ヘテロジニアスネットワークのネットワーキングアーキテクチャを採用し、即ちホットスポットのサービス品質とスループットを高めるためにマクロセルのカバレッジ内に大量のスモールセル（ｓｍａｌｌ  ｃｅｌｌ）を配置する。スモールセルは主に低パワーノードを用いかつ室内と室外シーンのホットスポットエリアに配置されて移動サービスの急増を対応する。ホットスポットエリアのスモールセルノードの配置数を高めるのは、ネットワーク容量の向上及びカバレッジホールの低減の効果的なメカニズムであり、しかし同時に複数の問題、例えば高密度スモールセルアプリケーションシナリオの相互干渉及びエネルギー消費などをもたらした。したがって、従来技術はスモールセルをオン／オフすることによってこの問題を解決することを提案し、例えば端末接続があるときに、スモールセルをオンし、制御チャネルとデータチャネルを正常に送信することができ、端末接続がないときに、スモールセルをオフし、制御チャネルとデータチャネルを送信しなく、発見信号（ＤＳ，Ｄｉｓｃｏｖｅｒｙ  Ｓｉｇｎａｌ）のみを送信することにより、隣接スモールセルへの干渉とパワー消費を低減することができる。
【０００３】
しかし、あるシーン（シーン１）が存在し、例えばスモールセルはセル中心付近のみで端末接続が存在し、図１に示されるスモールセルＣｅｌｌ＿１のようである。このときＣｅｌｌ＿１は正常のパワーで送信し、即ちＣｅｌｌ＿１の通常のカバレッジは、図１の点線円内であり、隣接したスモールセルＣｅｌｌ＿２へ不必要な干渉を引き起こすことが不可避である。このときＣｅｌｌ＿１のダウンリンクチャネルの送信パワーを低下し、Ｃｅｌｌ＿１の通常のカバレッジを収縮するのを考慮することができ、収縮後のＣｅｌｌ＿１のカバレッジは図１の実線円内である。しかし、Ｃｅｌｌ＿１を収縮した後に、ある端末がＣｅｌｌ＿１の通常のカバレッジ内、収縮後のカバレッジ外の領域に移動されると、Ｃｅｌｌ＿１はこれらの端末の存在が知らないので、これらの端末にサービスを提供するために、カバレッジを適時に拡大することができない。
【０００４】
そのほか、さらにもう一つのシーン（シーン２）が存在し、即ちスモールセル内に複数の端末接続が存在し、図２に示されるスモールセルＣｅｌｌ＿１のようである。Ｃｅｌｌ＿１のセル中心、セルエッジ及び中間などの領域にいずれも端末が分布され、このとき、Ｃｅｌｌ＿１の負荷が比較的大きく、そのダウンリンクチャネルのカバレッジをズーミングする必要がなく、かつそのエッジ付近の新しく来た端末が負荷の比較的小さい隣接セル或いはマクロセルから優先してサービスを提供することに寄与する。
【０００５】
以上の記載からみれば、従来技術に存在した問題は、ダウンリンクパワーに対し自己適応の調整を行う必要があり、チャネルのカバレッジを柔軟かつ適時に収縮し或いは拡大した後に、自己適応調整のパワーパラメータを通知し、自己適応調整のパワーパラメータを取得し、それによりチャネルの適切なカバレッジ、及び端末協力時のシステム全体性能の最適化を確保することである。
【発明の概要】
【０００６】
これを鑑みて、本発明の実施例はダウンリンクパワー調整の通知方法及び装置、ならびにダウンリンクパワー調整の取得方法及び装置を提供して、自己適応調整のパワーパラメータを通知し、自己適応調整のパワーパラメータを取得することができ、チャネルの適切なカバレッジ、及び端末協力時のシステム全体性能の最適化を確保する。
【０００７】
本発明の実施例の技術的解決手段はこのように実現される。
【０００８】
ダウンリンクパワー調整の通知方法であって、
少なくとも発見信号パワーの不変を保持し或いは少なくとも発見信号のパワーを調整することにより自己適応調整を実現し、自己適応調整後に構成されたパワーパラメータを端末、及び／又は隣接したスモールセル、及び／又はマクロセルに通知することを含む。
【０００９】
前記少なくとも発見信号パワーの不変を保持し或いは少なくとも発見信号のパワーを調整することにより自己適応調整を実現することは、
ダウンリンクチャネルと基準信号の送信パワーを調整し、かつ発見信号のパワーを不変にし、或いは、ダウンリンクチャネルと基準信号の送信パワーを調整せず、かつ発見信号のパワーを調整することにより自己適応調整を実現することを含む。
【００１０】
前記自己適応調整後に構成されたパワーパラメータを前記端末に通知することは、
前記スモールセルがダウンリンクパワーの自己適応調整を行った後に前記通知をトリガーし、前記スモールセルは前記パワーパラメータを端末に通知することを含み、前記パワーパラメータは少なくとも発見信号の関連パワーパラメータを含む。
【００１１】
前記スモールセルが前記パワーパラメータを端末に通知する方式は、
前記スモールセルが直接調整後の発見信号のパワーを無線リソース制御（ＲＲＣ）シグナリングによって前記端末に通知すること、
前記スモールセルが発見信号のパワーと基準信号のパワー（ｒｅｆｅｒｅｎｃｅＳｉｇｎａｌＰｏｗｅｒ）の係数関係或いは偏差をＲＲＣシグナリングによって前記端末に通信すること、
前記スモールセルが発見信号のパワー変化値をＲＲＣシグナリングによって前記端末に通知することのうちのいずれか一つを含む。
【００１２】
前記自己適応調整後に構成されたパワーパラメータを前記隣接したスモールセル、及び／又は前記マクロセルに通知することは、
前記スモールセルのカバレッジを収縮し或いは拡大する前に、或いは発見信号のパワーを調整する前に、隣接したスモールセルとエッジ端末に対し協力処理を行う必要があり、前記スモールセルが前記パワーパラメータを前記隣接したスモールセル、及び／又は前記マクロセルに通知することを含み、前記パワーパラメータは少なくとも発見信号の関連パワーパラメータを含む。
【００１３】
前記スモールセルが前記パワーパラメータを前記隣接したスモールセル、及び／又は前記マクロセルに通知する方式は、
前記スモールセルが発見信号のパワー、及び／又は他のダウンリンクチャネル／信号のパワーを、Ｘ２インタフェースによって前記隣接したスモールセル、及び／又は前記マクロセルに通知すること、
前記スモールセルが発見信号のパワー調整値、及び／又は他のダウンリンクチャネル／信号のパワー調整値を、Ｘ２インタフェースによって前記隣接したスモールセル、及び／又は前記マクロセルに通知すること、
前記スモールセルが発見信号とダウンリンクチャネル／信号パワー調整との相対関係を、Ｘ２インタフェースによって前記隣接したスモールセル、及び／又は前記マクロセルに通知することのうちのいずれか一つを含む。
【００１４】
前記発見信号の測定に基づいてダウンリンクパワーの自己適応調整を行うことは、
端末からの発見信号の測定に基づいて得られた測定報告を受信し、前記測定報告に基づいて前記パワーパラメータを構成し、ダウンリンクパワーの自己適応調整を行うことを含む。
【００１５】
該方法はさらに、端末からの発見情報を受信し、前記発見情報および前記測定報告に基づいて前記パワーパラメータを構成し、ダウンリンクパワーの自己適応調整を行うことを含む。
【００１６】
前記測定報告に基づいて前記パワーパラメータを構成し、ダウンリンクパワーの自己適応調整を行うことは、
前記発見信号を送信する前記スモールセルが休止状態にある場合、マクロセルが前記スモールセルを活性化するか否かを決定し、かつ前記測定報告に基づいて対応するパワーでダウンリンクチャネル、基準信号および発見信号が含まれている情報を送信することを決定すること、
前記発見信号を送信する前記スモールセルが活性化状態にある場合、前記スモールセルが前記測定報告に基づいて対応するパワーで自己適応調整を行うか否かを決定することを含む。
【００１７】
ダウンリンクパワー調整の通知装置であって、
少なくとも発見信号パワーの不変を保持し或いは少なくとも発見信号のパワーを調整することにより自己適応調整を実現した後に、自己適応調整後に構成されたパワーパラメータを端末、及び／又は隣接したスモールセル、及び／又はマクロセルに通知するように構成される通知ユニットを含む。
【００１８】
前記通知ユニットは、さらに少なくとも発見信号パワーの不変を保持し或いは少なくとも発見信号のパワーを調整することにより自己適応調整を実現することは、ダウンリンクチャネルと基準信号の送信パワーを調整し、かつ発見信号のパワーを不変にし、或いは、ダウンリンクチャネルと基準信号の送信パワーを調整せず、かつ発見信号のパワーを調整することにより自己適応調整を実現するように構成される。
【００１９】
前記通知ユニットは、前記スモールセルがダウンリンクパワーの自己適応調整を行った後に前記通知をトリガーし、前記スモールセルは前記パワーパラメータを端末に通知するように構成され、前記パワーパラメータは少なくとも発見信号の関連パワーパラメータを含む。
【００２０】
前記通知ユニットは、前記パワーパラメータを端末に通知する方式が、
直接調整後の発見信号のパワーを無線リソース制御（ＲＲＣ）シグナリングによって前記端末に通知すること、
発見信号のパワーと基準信号のパワー（ｒｅｆｅｒｅｎｃｅＳｉｇｎａｌＰｏｗｅｒ）の係数関係或いは偏差をＲＲＣシグナリングによって前記端末に通信すること、
発見信号のパワー変化値をＲＲＣシグナリングによって前記端末に通知することのうちのいずれか一つを含むように構成される。
【００２１】
前記通知ユニットは、前記スモールセルのカバレッジを収縮し或いは拡大する前に、或いは発見信号のパワーを調整する前に、隣接したスモールセルとエッジ端末に対し協力処理を行う必要があり、前記スモールセルが前記パワーパラメータを前記隣接したスモールセル、及び／又は前記マクロセルに通知するように構成され、前記パワーパラメータは少なくとも発見信号の関連パワーパラメータを含む。
【００２２】
前記通知ユニットは、前記パワーパラメータを前記隣接したスモールセル、及び／又は前記マクロセルに通知する方式が、
発見信号のパワー、及び／又は他のダウンリンクチャネル／信号のパワーを、Ｘ２インタフェースによって前記隣接したスモールセル、及び／又は前記マクロセルに通知すること、
発見信号のパワー調整値、及び／又は他のダウンリンクチャネル／信号のパワー調整値を、Ｘ２インタフェースによって前記隣接したスモールセル、及び／又は前記マクロセルに通知すること、
発見信号とダウンリンクチャネル／信号パワー調整との相対関係を、Ｘ２インタフェースによって前記隣接したスモールセル、及び／又は前記マクロセルに通知することのうちのいずれか一つを含むように構成される。
【００２３】
該装置はさらに、
端末からの発見信号の測定に基づいて得られた測定報告を受信するように構成される受信ユニットと、
測定報告に基づいて前記パワーパラメータを構成し、ダウンリンクパワーの自己適応調整を行うように構成される調整ユニットとを含む。
【００２４】
前記受信ユニットは、発見情報を受信するように構成され、
前記調整ユニットは、前記発見情報と前記測定報告に基づいて前記パワーパラメータを構成し、ダウンリンクパワーの自己適応調整を行うように構成される。
【００２５】
前記調整ユニットは、前記発見信号を送信する前記スモールセルが休止状態にある場合、マクロセルが前記スモールセルを活性化するか否かを決定し、かつ前記測定報告に基づいて対応するパワーでダウンリンクチャネル、基準信号および発見信号が含まれている情報を送信することを決定し、或いは、前記発見信号を送信する前記スモールセルが活性化状態にある場合、前記スモールセルが前記測定報告に基づいて対応するパワーで自己適応調整を行うか否かを決定するように構成される。
【００２６】
前記通知ユニット、前記受信ユニット、前記調整ユニットは処理を実行するときに、中央処理装置（ＣＰＵ，Ｃｅｎｔｒａｌ  Ｐｒｏｃｅｓｓｉｎｇ  Ｕｎｉｔ）、デジタルシグナルプロセッサ（ＤＳＰ，Ｄｉｇｉｔａｌ  Ｓｉｎｇｎａｌ  Ｐｒｏｃｅｓｓｏｒ）或いはフィールドプログラマブルゲートアレイ（ＦＰＧＡ，Ｆｉｅｌｄ−Ｐｒｏｇｒａｍｍａｂｌｅ  Ｇａｔｅ  Ａｒｒａｙ）で実現することができる。
【００２７】
ダウンリンクパワー調整の取得方法であって、
端末、及び／又は隣接したスモールセル、及び／又はマクロセルが、自己適応調整後に構成されたパワーパラメータを受信することを含む。
【００２８】
前記端末が前記パワーパラメータを受信した後に、該方法はさらに、
前記パワーパラメータに基づいて発見信号を送信するスモールセルのその発見信号のパワー、発見信号及びダウンリンクチャネル／信号を取得し、端末は発見信号の測定に基づいてダウンリンクパスロスを算出し、アップリンクパスロスを得て、かつアップリンクのパワー割当に用いられることを含む。
【００２９】
該方法はさらに、端末が発見信号の測定に基づいて、測定結果を前記スモールセルに報告して、活性化或いはスモールセル収縮の制御操作に用いられることを含む。
【００３０】
前記隣接したスモールセル、及び／又は前記マクロセルは前記パワーパラメータを受信した後に、該方法はさらに、
前記パワーパラメータに基づいて発見信号を送信するスモールセルのその発見信号及びダウンリンクチャネル／基準信号のパワー変化情況を取得し、前記隣接したスモールセル、及び／又は前記マクロセル自身の負荷情況に合わせて、エッジ端末に対し協力処理を行い、前記パワーパラメータを干渉調整メカニズムに用いられることを含む。
【００３１】
ダウンリンクパワー調整の取得装置であって、
端末、及び／又は隣接したスモールセル、及び／又はマクロセル側で自己適応調整後に構成されたパワーパラメータを受信するように構成されるパワーパラメータ受信ユニットを含む。
【００３２】
該装置はさらに、
前記パワーパラメータに基づいて発見信号を送信するスモールセルのその発見信号のパワー、発見信号及びダウンリンクチャネル／信号を取得し、端末側で発見信号の測定に基づいてダウンリンクパスロスを算出し、アップリンクパスロスを得て、かつアップリンクのパワー割当に用いられるように構成されるパワー割当ユニットを含む。
【００３３】
該装置はさらに、
端末側で発見信号の測定に基づいて、測定結果を前記スモールセルに報告して活性化或いはスモールセル収縮の制御操作に用いられるように構成される報告ユニットを含む。
【００３４】
該装置はさらに、
前記パワーパラメータに基づいて発見信号を送信するスモールセルのその発見信号及びダウンリンクチャネル／基準信号のパワー変化情況を取得し、前記隣接したスモールセル、及び／又は前記マクロセル自身の負荷情況に合わせて、エッジ端末に対し協力処理を行うように構成される協力ユニットと、
前記パワーパラメータを干渉調整メカニズムに用いられるように構成される干渉調整ユニットとを含む。
【００３５】
前記パワーパラメータ受信ユニット、前記パワー割当ユニット、前記報告ユニット、前記協力ユニット、前記干渉調整ユニットは処理を実行するときに、中央処理装置（ＣＰＵ，Ｃｅｎｔｒａｌ  Ｐｒｏｃｅｓｓｉｎｇ  Ｕｎｉｔ）、デジタルシグナルプロセッサ（ＤＳＰ，Ｄｉｇｉｔａｌ  Ｓｉｎｇｎａｌ  Ｐｒｏｃｅｓｓｏｒ）或いはフィールドプログラマブルゲートアレイ（ＦＰＧＡ，Ｆｉｅｌｄ−Ｐｒｏｇｒａｍｍａｂｌｅ  Ｇａｔｅ  Ａｒｒａｙ）で実現することができる。
【００３６】
本発明の実施例による通知方法は、少なくとも発見信号パワーの不変を保持し或いは少なくとも発見信号のパワーを調整することにより自己適応調整を実現し、自己適応調整後に構成されたパワーパラメータを端末、及び／又は隣接したスモールセル、及び／又はマクロセルに通知することを含む。本発明の実施例によれば、自己適応調整のパワーパラメータを端末、及び／又は隣接したスモールセル、及び／又はマクロセルに通知し、自己適応調整によりチャネルの適切なカバレッジ、及び端末協力時のシステム全体性能の最適化を確保することができる。
【図面の簡単な説明】
【００３７】
【図１】図１は従来技術シーン１のｓｍａｌｌ  ｃｅｌｌシステム構造構成を示す図である。
【図２】図２は従来技術シーン２のｓｍａｌｌ  ｃｅｌｌシステム構造構成を示す図である。
【図３】図３は本発明の実施例に係る実現フローチャートである。
【発明を実施するための形態】
【００３８】
以下は図面に合わせて技術的解決手段の実行についてさらに詳細な説明を行う。
【００３９】
本発明の解決手段はＬＴＥシステムにおけるスモールセルのダウンリンク送信パワーの自己適応調整後に自己適応調整のパワーパラメータを通知することによって、自己適応調整のパワーパラメータを取得し、かつそれによりスモールセル間の干渉を低減し及びスモールセル間の負荷バランスという問題を解決する方法及び装置であり、主に以下の内容を含む。
【００４０】
ダウンリンクパワー調整の通知方法は、図１に示され、方法実施例の合理的な解決手段は以下のステップを含む。
【００４１】
ステップ１０１において、スモールセルは発見信号を送信する。
【００４２】
スモールセルが休止状態にある場合、スモールセルは発見信号、及び／又は測定信号を送信し、他のダウンリンクチャネル／信号を送信せず、スモールセルが活性化状態にある場合、スモールセルは発見信号、及び／又は測定信号、及び他のダウンリンクチャネル／信号などを送信する。
【００４３】
ここで、スモールセルは発見信号を送信する以外に、さらに測定用の測定信号を送信することができ、さらに発見信号と測定信号を送信することができ、端末側の測定に用いられる。そのほか、発見信号は端末がスモールセルの発見に用いられる以外に、さらに端末測定にも用いられる。
【００４４】
スモールセルの発見信号、或いは他のダウンリンクチャネル／信号の送信パワーの初期化は、従来のメカニズムにより、通常被覆とサービス品質を確保することができる。
【００４５】
ステップ１０２において、端末はスモールセルから送信した発見信号を受信し、かつ該発見信号の強度などの情報を測定する。
【００４６】
ステップ１０３において、端末は発見情報及び測定報告をマクロセル或いはスモールセルに報告する。
【００４７】
ステップ１０４において、マクロセル或いはスモールセルは、受信した発見情報及び測定報告に基づいてパワーパラメータを構成し、かつスモールセルがどのような状態或いはどのようなパワーでダウンリンクチャネル、基準信号および発見信号などを送信するのかを決定する。
【００４８】
ここで、前記発見情報は、有無の判断を指し、即ち発見信号を受信するか否かの判断である。発見情報を報告することができ、測定報告を報告することもでき、発見情報及び測定報告を同時に報告することもできて測定報告に用いられる。
【００４９】
ａ．発見信号を送信するスモールセルが休止状態にある場合、マクロセルはスモールセルを活性化するか否かを決定し、かつ端末から報告した測定報告に基づいて、対応するパワーでダウンリンクチャネル、基準信号および発見信号を送信することを決定する。なお、下記活性化状態の自己適応調整と比べて、ここでの休止状態は活性化状態の一種の閾値であると理解することができ、活性化状態の該閾値にあるときに、前記対応するパワーでダウンリンクチャネル、基準信号および発見信号などを送信する決定は、一種の自己適応調整に相当する。
【００５０】
ｂ．発見信号を送信するスモールセルが活性化状態にある場合、スモールセルは前記測定報告に基づいて、対応するパワーの自己適応調整を行うか否かを決定する。
【００５１】
ｂ１情況：スモールセルの接続端末がある領域内に集中する場合、例えばスモールセルの中心周囲に集中する場合、スモールセルのカバレッジを収縮し、即ちダウンリンクチャネルと基準信号の送信パワーを低減し、発見信号のパワーを不変にし、これによって元の通常のカバレッジ内に新しく出現した端末をリアルタイムに発見するのを確保する。
【００５２】
ｂ２情況：、スモールセルのカバレッジを収縮した後に、収縮された領域に端末が出現する場合、例えばスモールセルを収縮した後のカバレッジが通常のカバレッジのセルの中心領域であり、しかし通常のカバレッジの中心以外、或いはセルエッジに端末が出現する場合、スモールセルのカバレッジを拡大することができ、即ちダウンリンクチャネルと基準信号の送信パワーを高めることができ、新しい端末の出現をカバーすることができ、新しい端末のためにサービスを提供し、発見信号のパワーを不変にする。
【００５３】
ｂ３情況：スモールセルの接続端末が比較的多く、スモールセルの負荷が比較的大きく、かつ分布が比較的分散し、スモールセルのカバレッジを収縮し或いは拡大するのを考慮せず、このときダウンリンクチャネルと基準信号の送信パワーを調整せず、発見信号のパワーを低減し、スモールセルエッジの端末に対し隠蔽作用を果たし、接続端末の過剰を回避する。
【００５４】
なお、上記ｂ１とｂ２の情況は同じ類別に属し、即ちダウンリンクチャネルと基準信号の送信パワーを調整し、かつ発見信号パワーを不変にするシーンであり、上記ｂ３は別の類別に属し、即ちダウンリンクチャネルと基準信号の送信パワーを調整せず、かつ発見信号のパワーを調整し自己適応調整を実現するシーンである。
【００５５】
ステップ１０５において、スモールセルはステップ１０４で構成されたパワーパラメータを端末及び／又は隣接したスモールセル、マクロセル或いはメイン制御ユニットに通知する。
【００５６】
スモールセルのカバレッジを収縮した後に、この範囲以外、通常のカバレッジ内に、端末はスモールセルから送信した発見信号のみを受信することができ、このとき端末から前記スモールセルまでのアップリンクパスロスはダウンリンク発見信号の測定のみで推定することができるので、発見信号のパワーをＲＲＣシグナリングによって前記端末に通知する必要がある。例えば図１におけるＣｅｌｌ＿１は、ステップ（４）に基づいてそのカバレッジを、図における点線円内に収縮させ、ＵＥ＿２５のアップリンクがＣｅｌｌ＿１でサービスされ、ダウンリンクはマクロセルＭａｃｒｏ  Ｃｅｌｌでサービスされると仮定し、即ち二重接続技術を用いて、ＵＥ＿２５のアップリンクパスロスは必ず発見信号への測定によって得られ、したがってスモールセルは発見信号のパワーを端末に通知する必要がある。
【００５７】
スモールセルが端末に発見信号のパワーを通知する方式は以下のとおりである。ａ．直接調整後の発見信号のパワーをＲＲＣシグナリングによって端末に通知する。ｂ．発見信号のパワーとｒｅｆｅｒｅｎｃｅＳｉｇｎａｌＰｏｗｅｒの係数関係或いは偏差をＲＲＣシグナリングによって端末に通信する。ｃ．発見信号のパワー変化値をＲＲＣシグナリングによって端末に通知する。
【００５８】
そのほか、前記スモールセルのカバレッジを収縮し或いは拡大する前に、或いは発見信号のパワーを調整する前に、スモールセルとエッジ端末に対し協力処理を行う必要があり、したがって前記スモールセルのパワーを調整するときに、ダウンリンクパワーの変化情況をＸ２インタフェースによって隣接したスモールセル、マクロセル或いはクラスタ内のメイン制御ユニットに通知する必要があり、エッジ端末に対し協力処理を行い、同時に隣接したセルの測定を干渉するのを回避する。例えば、図１におけるＣｅｌｌ＿１はステップ（４）に基づいてそのカバレッジを収縮するのを準備し、ダウンリンクチャネルのパワーを低減し、この前に、それはこの情報をＸ２インタフェースによってＣｅｌｌ＿２に通知する必要があり、二つのスモールセルのエッジ端末がＣｅｌｌ＿２で優先してサービスさせ、同時に干渉調整に役立ち、Ｃｅｌｌ＿２の測定を干渉するまで至らない。
【００５９】
一般的にスモールセル層は一つ或いは複数のクラスタを含み、各クラスタは一つ或いは複数のスモールセルを含む。上記メイン制御ユニットに対して言えば、各クラスタ内のメイン制御ユニットは即ち該クラスタ内の複数のスモールセルを制御するメインノードである。
【００６０】
スモールセルがＸ２インタフェースによって、隣接したスモールセル、マクロセル或いはクラスタ内のメイン制御ユニットにそのダウンリンクパワーの調整情況を通知する方式は、以下のとおりである。ａ．発見信号のパワー、そのダウンリンクチャネル／信号のパワー。ｂ．発見信号のパワー調整値、そのダウンリンクチャネル／信号のパワー調整値。ｃ．発見信号とダウンリンクチャネル／信号のパワー調整との相対関係。
【００６１】
端末は前記スモールセルから送信した発見信号のパワーパラメータを受信し、及び前記スモールセルから送信したダウンリンクチャネル、基準信号と発見信号などを受信する。端末は発見信号測定を用いてダウンリンクパスロスを算出し、それによりアップリンクパスロスを得て、かつアップリンクのパワー割当に用いられ、発見信号測定はさらにスモールセルに報告し活性化或いはスモールセル収縮などの操作に用いられる。
【００６２】
隣接したスモールセル、マクロセル或いはメイン制御ユニットは前記スモールセルから送信したパワーパラメータを受信し、前記スモールセル発見信号及びダウンリンクチャネル／信号へのパワー変化情況を了解し、自身の負荷情報に合わせ、エッジ端末に対し協力処理を行い、かつ受信したパワー情報を干渉調整メカニズムに用いられ、例えば発見信号とダウンリンクチャネル／信号のパワー変化が異なるため、もたらした干渉変化も異なる。
【００６３】
ステップ１０６において、スモールセルはステップ１０４で構成されたパワーパラメータでダウンリンクチャネル、基準信号と発見信号などを送信し、続いてステップ１０２からステップ１０６のプロセスを繰り返す。
【００６４】
従来技術と本発明を比べて以下のことを了解できる。
【００６５】
図１に示されるシーン１に対して、例えばスモールセルにおいてセル中心付近のみで端末接続が存在し、図１に示されるスモールセルＣｅｌｌ＿１である。このときＣｅｌｌ＿１は正常のパワーで送信し、即ちＣｅｌｌ＿１の通常のカバレッジは、図１の点線円内である場合、隣接したスモールセルＣｅｌｌ＿２へ不必要な干渉を引き起こすことが不可避である。このときＣｅｌｌ＿１のダウンリンクチャネルの送信パワーを低下し、Ｃｅｌｌ＿１の通常のカバレッジを収縮するのを考慮することができ、収縮後のＣｅｌｌ＿１のカバレッジは図１の実線円内である。しかしＣｅｌｌ＿１を収縮した後に、ある端末がＣｅｌｌ＿１の通常のカバレッジ内、収縮後のカバレッジ以外の領域に移動されると、Ｃｅｌｌ＿１はこれらの端末の存在が知らないので、これらの端末にサービスを提供するために、カバレッジを適時に拡大することができない。これらの問題に対して効果的な解決手段はまだ提供されない。したがってスモールセル間の干渉を低減するために、スモールセルが自己の通常のカバレッジ内の端末の分布概略情況を了解して、カバレッジを柔軟かつリアルタイムに収縮し或いは拡大し、かつスモールセルをズーミングするときに隣接したセル、及び端末と協力処理の効果的なメカニズムを確立することができるのを研究する必要がある。
【００６６】
図２に示されるシーン２に対して、即ちスモールセル内に複数の端末接続が存在し、図２に示されるスモールセルＣｅｌｌ＿１である。Ｃｅｌｌ＿１のセル中心、セルエッジ及び中間などの領域にいずれも端末が分布され、このときＣｅｌｌ＿１の負荷が比較的大きく、そのダウンリンクチャネルのカバレッジをズーミングする必要がなく、かつそのエッジ付近の新しく来た端末が負荷の比較的小さい隣接領域或いはマクロセルから優先してサービスを提供することに寄与する。したがってカバレッジ内の既存端末の性能（そのダウンリンク物理チャネルと基準信号のパワー）を確保することができるだけでなく、さらに隣接セル或いはマクロセルと協力メカニズムを形成することができ、それによりスモールセルの接続ユーザが多く過ぎることによる負荷過大を回避するという解決手段を研究する必要がある。
【００６７】
本発明の解決手段は、上記問題を鑑みて提供され、発見信号測定を用いてダウンリンクチャネル、基準信号および発見信号などに対しパワーの自己適応調整を行い、かつ自己適応調整後のパワーパラメータを端末或いは隣接したスモールセルに通知する方法及び装置であり、自己適応調整後のパワーパラメータを取得する方法及び装置であり、それによりチャネルの適切なカバレッジ、及び端末協力時のシステム全体性能の最適化を確保する。また、端末が報告した発見情報及び測定報告に基づいて、スモールセルはカバレッジ内の分布概略とサービス情況を了解することができ、それによりダウンリンクチャネル、基準信号および発見信号の異なる方式のパワー自己適応調整を行い、スモールセルを収縮するときに、新しく出現した端末をリアルタイムに発見できることに役立ち、或いはスモールセルの接続端末が比較的多く、負荷が比較的大きいときに、新しく出現したエッジ端末に対し隠蔽し、スモールセルの負荷が大きくなるのを回避し、それによりスモールセル間の干渉と負荷バランスという問題を解決し、密集スモールセル分布シーン下のシステム性能を向上させる。
【００６８】
以下は本発明について例示的な説明を行う。
【００６９】
実施例一：
スモールセルＣｅｌｌ＿１、Ｃｅｌｌ＿２が配置され、別にＵＥ＿１１、ＵＥ＿１２があり、かつＣｅｌｌ＿１に属し、ＵＥ＿２１、ＵＥ＿２２、ＵＥ＿２３、ＵＥ＿２４及びＵＥ＿２５は、Ｃｅｌｌ＿２に属する。ＵＥ＿２５はＣｅｌｌ＿２に常駐するが、同時にその位置はＣｅｌｌ＿１のエッジに近寄る。
【００７０】
二つのスモールセルの初期状態はいずれも従来のメカニズムによりダウンリンクチャネル、基準信号、及び発見信号などを送信する。スモールセルＣｅｌｌ＿２のカバレッジ内に複数の端末が存在し、かつ異なる位置に分布され、したがってＣｅｌｌ＿２は常に活性化状態にあると仮定することができ、かつスモールセルをズーミングする必要がない。
【００７１】
本実施例は主にＵＥ＿１１、ＵＥ＿１２或いは新しく出現した端末の移動と所在位置がスモールセルＣｅｌｌ＿１のダウンリンク送信パワーとカバレッジのズーミングへの影響を注目し、目的はＵＥ＿１１、ＵＥ＿１２或いは新しく出現した端末から報告した発見信号の測定報告に基づいて、どのようにＣｅｌｌ＿１のダウンリンク送信パワーを調整し及びＣｅｌｌ＿１のカバレッジをズーミングし、及びＣｅｌｌ＿１を収縮した後に、どのように従来のカバレッジ内に新しく出現した端末をリアルタイムに発見し、続いて相応するスモールセルのカバレッジを拡大する。本実施例の方法フローは以下のステップを含む。
【００７２】
ステップ２０１において、スモールセルは発見信号を送信する。
【００７３】
スモールセルが休止状態にある場合、スモールセルは発見信号のみを送信し、他のダウンリンクチャネル或いは信号を送信せず、スモールセルが活性化状態にある場合、スモールセルは発見信号、及び他のダウンリンクチャネル或いは信号を送信する。
【００７４】
スモールセルの発見信号、或いは他のダウンリンクチャネル或いは信号の送信パワーの初期化は従来のメカニズムにより、通常のカバレッジとサービス品質を確保することができる。
【００７５】
本実施例において、Ｃｅｌｌ＿１とＣｅｌｌ＿２の初期状態はいずれも活性化状態であり、初期は定格パワーでダウンリンク物理チャネルと信号を送信すると仮定する。
【００７６】
ここでスモールセルＣｅｌｌ＿１の初期発見信号の送信パワーはＰＤＳ１で、サービスチャネルの送信パワーはＰＤ１＿１とＰＤ１＿２で、制御チャネルの送信パワーはＰＣ１＿１とＰＣ１＿２であると仮定する。
【００７７】
ここでスモールセルＣｅｌｌ＿２の初期発見信号の送信パワーはＰＤＳ２で、サービスチャネルの送信パワーはＰＤ２＿１、ＰＤ２＿２、ＰＤ２＿３、ＰＤ２＿４及びＰＤ２＿５で、制御チャネルの送信パワーはＰＣ２＿１、ＰＣ２＿２、ＰＣ２＿３、ＰＣ２＿４及びＰＤ２＿５であると仮定する。
【００７８】
なお、ダウンリンク各チャネル或いは信号の送信パワーは異なり、上記送信パワーの仮定は本発明の技術的解決手段を一般的かつ定性的に説明するのみである。そのほか、ＰＤＳＣＨとある動的パワー制御が存在するチャネルに対して、上記送信パワーは最大送信パワーＰｍａｘに相当することができ、即ちスモールセルを収縮し或いは拡大することによりＰｍａｘの値を調整し、続いてこの範囲内（０〜Ｐｍａｘ）で従来のプロトコルに基づいてダウンリンクパワー割当を行う。つまり、上記パワー仮定はこの情況下で相対静的なＰｍａｘを指し、実際の動的なダウンリンクパワー割当の送信値でなく、以下の説明と類似で、詳細な説明を行わない。
【００７９】
ステップ２０２において、端末はスモールセルから送信した発見信号を受信し、かつ該発見信号の強度などの情報を測定する。
【００８０】
発見信号の強度はＲＳＲＰ、ＲＳＲＱ或いはＳＩＮＲなどの測定パラメータにより定量的に測定することができる。
【００８１】
ＵＥ＿１１、ＵＥ＿１２はＣｅｌｌ＿１から送信した発見信号を受信し、かつ該発見信号の強度を測定し、それぞれＲ＿１１、Ｒ＿１２である。
【００８２】
ＵＥ＿２１、ＵＥ＿２２、ＵＥ＿２３、ＵＥ＿２４、ＵＥ＿２５はＣｅｌｌ＿２から送信した発見信号を受信し、かつ該発見信号の強度を測定し、それぞれＲ＿２１、Ｒ＿２２、Ｒ＿２３、Ｒ＿２４、Ｒ＿２５である。
【００８３】
Ｃｅｌｌ＿１のエッジに位置したＵＥ＿２５はさらにＣｅｌｌ＿１から送信した発見信号を受信することができると、該発見信号の強度を測定し、Ｒ＿１＿２５に設定する。
【００８４】
ステップ２０３において、端末は発見情報及び測定報告をマクロセル或いはスモールセルに報告する。
【００８５】
ＵＥ＿１１、ＵＥ＿１２はそれぞれステップ２０２における受信したＣｅｌｌ＿１発見情報及び測定報告をスモールセルＣｅｌｌ＿１に報告する。
【００８６】
ＵＥ＿２１、ＵＥ＿２２、ＵＥ＿２３、ＵＥ＿２４、ＵＥ＿２５はそれぞれステップ２０２における受信したＣｅｌｌ＿２発見情報及び測定報告をスモールセルＣｅｌｌ＿２に報告する。
【００８７】
同時に、ＵＥ＿２５はＣｅｌｌ＿１から送信した発見信号を受信することができると、ＵＥ＿２５はステップ２０２における受信したＣｅｌｌ＿１発見情報及び測定報告をスモールセルＣｅｌｌ＿１に報告する。
【００８８】
ステップ２０４において、マクロセル或いはスモールセルは受信した発見情報及び測定報告に基づいて、スモールセルはどのような状態、或いはどのようなパワーでダウンリンクチャネル、基準信号と発見信号などを送信するかを決定する。
【００８９】
ａ．発見信号を送信するスモールセルが休止状態にある場合、マクロセルはスモールセルを活性化するか否かを決定し、かつ端末が報告した測定報告に基づいて、どのようなパワーでダウンリンクチャネル、基準信号と発見信号などを送信するかを決定する。
【００９０】
ｂ．発見信号を送信するスモールセルが活性化状態にある場合、スモールセルは端末が報告した測定報告に基づいて、相応するパワーの自己適応調整を行うか否かを決定し、即ちカバレッジをズーミングするか否かを決定する。
【００９１】
●スモールセルの接続端末がある領域内に集中すると、例えばスモールセルの中心周囲であり、スモールセルのカバレッジの収縮を行うことができ、即ちダウンリンク物理チャネルの送信パワーを低減し、発見信号のパワーを不変にし、従来のカバレッジ内に新しく出現した端末をリアルタイムで発見できるのを確保する。
【００９２】
●スモールセルのカバレッジを収縮した後に、収縮された領域で端末を出現し、例えばスモールセルを収縮した後のカバレッジは通常のカバレッジのセルの中心領域であり、しかしカバレッジの中心以外、或いはセルエッジで端末が出現する場合、スモールセルのカバレッジを拡大することができ、即ちダウンリンク物理チャネルの送信パワーを高め、新しい端末の出現をカバーすることができ、発見信号のパワーを不変にする。
【００９３】
●スモールセルの接続端末が比較的多く、スモールセルの負荷が比較的大きく、かつ分布が比較的分散し、スモールセルのカバレッジを収縮し或いは拡大するのを考慮せず、このときダウンリンクチャネルと基準信号の送信パワーを調整せず、発見信号のパワーを低減し、スモールセルエッジの端末に対し隠蔽作用を果たし、接続端末の過剰を回避する。
【００９４】
Ｃｅｌｌ＿１はＵＥ＿１１、ＵＥ＿１２から報告した測定報告（ＵＥ＿２５は一時Ｃｅｌｌ＿１から送信した発見信号を受信しないと仮定する）を受信し、この二つの端末をサービスするのを了解し、接続端末の数が比較的少なく、スモールセルの負荷が比較的小さいという要件を満たし、続いて測定報告に基づいて端末の分布を判断する。
【００９５】
スモールセルは端末が報告した発見信号の強度を４つの段階に分け、かつ高い順に三つの閾値、Ｔｈ＿１、Ｔｈ＿２、Ｔｈ＿３でキャラクタリゼーションする。
【００９６】
ａ．Ｒ＿１１＞Ｔｈ＿１、Ｒ＿１２＞Ｔｈ＿１であると、端末ＵＥ＿１１、ＵＥ＿１２が受信したＣｅｌｌ＿１から送信した発見信号の強度が比較的高く、いずれもＣｅｌｌ＿１の中心周囲に分布されるのを説明する。Ｃｅｌｌ＿１は定格パワーで送信すると、隣接領域Ｃｅｌｌ＿２に不必要な干渉を引き起こすことが不可避であり、したがって送信パワーを低減し、セル収縮を行う必要がある。
【００９７】
ＰＤＳ１＿ＮＥＷ＝ＰＤＳ１；
ＰＤ１＿１＿ＮＥＷ＝α＊ＰＤ１＿１；ＰＣ１＿１＿ＮＥＷ＝α＊ＰＣ１＿１；
ＰＤ１＿２＿ＮＥＷ＝α＊ＰＤ１＿２；ＰＣ１＿２＿ＮＥＷ＝α＊ＰＣ１＿２；
α∈［０，０．１，０．２，…，１］、このときαの値は小さい。
【００９８】
ｂ．Ｒ＿１１＞Ｔｈ＿１、Ｔｈ＿２＜Ｒ＿１２＜Ｔｈ＿１であると、端末ＵＥ＿１１がＣｅｌｌ＿１の中心周囲に位置し、ＵＥ＿１２がＣｅｌｌ＿１の中心に位置しないが、一つの比較的よい位置に分布されるのを説明する。同様に、Ｃｅｌｌ＿１は定格パワーで送信すると、隣接領域Ｃｅｌｌ＿２に不必要な干渉を引き起こすことが不可避であり、したがって送信パワーを低減し、セル収縮を行う必要がある。
【００９９】
ＰＤＳ１＿ＮＥＷ＝ＰＤＳ１；
ＰＤ１＿１＿ＮＥＷ＝α＊ＰＤ１＿１；ＰＣ１＿１＿ＮＥＷ＝α＊ＰＣ１＿１；
ＰＤ１＿２＿ＮＥＷ＝α＊ＰＤ１＿２；ＰＣ１＿２＿ＮＥＷ＝α＊ＰＣ１＿２；
α∈［０，０．１，０．２，…，１］、このときαの値は中位である。
【０１００】
ｃ．Ｒ＿１１＞Ｔｈ＿１、Ｔｈ＿３＜Ｒ＿１２＜Ｔｈ＿２であると、端末ＵＥ＿１１がＣｅｌｌ＿１の中心周囲に位置し、ＵＥ＿１２が一つの比較的よくない位置に分布されるのを説明する。このときＣｅｌｌ＿１はパワー調整を行わなくてもよく、或いは送信パワーをやや低減する。
【０１０１】
ＰＤＳ１＿ＮＥＷ＝ＰＤＳ１；
ＰＤ１＿１＿ＮＥＷ＝α＊ＰＤ１＿１；ＰＣ１＿１＿ＮＥＷ＝α＊ＰＣ１＿１；
ＰＤ１＿２＿ＮＥＷ＝α＊ＰＤ１＿２；ＰＣ１＿２＿ＮＥＷ＝α＊ＰＣ１＿２；
α∈［０，０．１，０．２，…，１］、このときαの値は１であり、或いは値は大きい。
【０１０２】
ｄ．Ｒ＿１１＞Ｔｈ＿１、Ｒ＿１２＜Ｔｈ＿３であると、端末ＵＥ＿１１がＣｅｌｌ＿１の中心周囲に位置し、ＵＥ＿１２がセルエッジに分布されるのを説明し、切替要件を満たすと、スモールセル切替を行い、切替要件を満たさないと、パワー調整を行わない。
【０１０３】
以上のステップに基づいて、図１におけるＵＥ＿１１、ＵＥ＿１２はいずれもＣｅｌｌ＿１の中心周囲に位置し、Ｃｅｌｌ＿１の収縮要件を満たす。Ｃｅｌｌ＿１を収縮した後に、発見信号のパワーを不変にし、Ｃｅｌｌ＿２のＵＥ＿２５はＣｅｌｌ＿１の収縮後のカバレッジ以外、通常のカバレッジ内に進み、するとＣｅｌｌ＿１から送信した発見信号を受信することができる。Ｃｅｌｌ＿１はＵＥ＿２５が報告した測定報告に基づいて、ＵＥ＿２５がそのエッジに位置するのを判断し、切替要件を満たすと、スモールセルを拡大する。
【０１０４】
他の情報の分析と類似する。スモールセルＣｅｌｌ＿２のカバレッジ内に複数の端末が存在するため、ここでＣｅｌｌ＿２は常に活性化状態にあると仮定し、かつ各位置に端末の分布が可能であり、したがってＣｅｌｌ＿２はセルズーミングを行う必要がないと仮定する。実施例一はＣｅｌｌ＿１のみを分析して本技術的解決手段におけるスモールセルがどのように発見信号の測定報告によってスモールセルズーミングとパワー調整を行い、及びどのようにズーミング後の元のカバレッジ内の新しく出現した端末を発見するかを説明する。
【０１０５】
ここでのパワー自己適応調整は上記方法以外の多種の方法で行うことができ、例えばパワーズーミング因子をＰＡ、或いはＰＢとＰＣ、或いはｃｅｌｌ−ｓｐｅｃｉｆｉｃ  ｒｅｆｅｒｅｎｃｅ−ｓｉｇｎａｌ（ＣＲＳ）パワーに重み付け（これらのパラメータは３ＧＰＰ  ３６．２１３  Ｒｅｌ−１０を参照する）スモールセルのダウンリンク送信パワーを調整する。
【０１０６】
例えば、スモールセルを収縮するときに、ＣＲＳのパワーを低減することができ、サービスチャネルとＣＲＳのリソースエレメントエネルギー比はＰＡ或いはＰＢであり、したがってサービスチャネルパワーも次第に低減する。発見信号ＤＳのパワーはＣＲＳのパワー次第に同期調整を行なわず、不変を保持することができる。
【０１０７】
ステップ２０５において、スモールセルはステップ２０４で構成されたパワーパラメータを端末及び／又は隣接したスモールセル、マクロセル或いはメイン制御ユニットに通知する。
【０１０８】
スモールセルのカバレッジを収縮した後に、この範囲以外、通常のカバレッジ内に、端末はスモールセルから送信した発見信号のみを受信することができ、このとき端末から前記スモールセルまでのアップリンクパスロスはダウンリンク発見信号の測定のみで推定することができ、したがって発見信号のパワーをＲＲＣシグナリングによって前記端末に通知する必要がある。例えばＣｅｌｌ＿１はステップ２０４に基づいてそのカバレッジを図１における点線円内に収縮し、ＵＥ＿２５アップリンクはＣｅｌｌ＿１でサービスし、ダウンリンクはマクロセルＭａｃｒｏ  Ｃｅｌｌでサービスすると仮定し、即ち二重接続技術を用いて、ＵＥ＿２５のアップリンクパスロスは必ず発見信号への測定によって得られ、したがってスモールセルは発見信号のパワーを端末に通知するする必要がある。
【０１０９】
スモールセルが端末に発見信号のパワーを通知する方式は以下のとおりである。ａ．直接調整後の発見信号のパワーをＲＲＣシグナリングによって端末に通知する。ｂ．発見信号のパワーとｒｅｆｅｒｅｎｃｅＳｉｇｎａｌＰｏｗｅｒの係数関係或いは偏差をＲＲＣシグナリングによって端末に通信する。ｃ．発見信号のパワー変化値をＲＲＣシグナリングによって端末に通知する。
【０１１０】
そのほか、前記スモールセルのカバレッジを収縮し或いは拡大する前に、スモールセルとエッジ端末に対し協力処理を行う必要があり、したがって前記スモールセルのパワーを調整するときに、協力処理を行うために、発見信号のパワーをＸ２インタフェースによって隣接したスモールセル、マクロセル或いはクラスタ内のメイン制御ユニットに通知する必要がある。例えばＣｅｌｌ＿１はステップ２０４に基づいてそのカバレッジを収縮するのを準備し、通常チャネルのパワーを低減し、この前に、それはこの情報をＸ２インタフェースによってＣｅｌｌ＿２に通知する必要があり、二つのスモールセルのエッジ端末がＣｅｌｌ＿２で優先してサービスさせ、同時に、干渉調整に役立ち、Ｃｅｌｌ＿２の測定を干渉するまで至らない。
【０１１１】
一般的にスモールセル層は一つ或いは複数のクラスタを含み、各クラスタは一つ或いは複数のスモールセルを含む。上記メイン制御ユニットに対して言えば、各クラスタ内のメイン制御ユニットは即ち該クラスタ内の複数のスモールセルを制御するメインノードである。
【０１１２】
スモールセルがＸ２インタフェースによって、隣接したスモールセル、マクロセル或いはクラスタ内のメイン制御ユニットにそのダウンリンクパワーの調整を通知する方式は、以下のとおりである。ａ．発見信号のパワー、そのダウンリンクチャネル／信号のパワー。ｂ．発見信号のパワー調整値、そのダウンリンクチャネル／信号のパワー調整値。ｃ．発見信号とダウンリンクチャネル／信号のパワー調整との相対関係。
【０１１３】
端末は前記スモールセルから送信した発見信号のパワーパラメータを受信し、及び前記スモールセルから送信したダウンリンクチャネル、基準信号と発見信号などを受信する。端末は発見信号測定を用いてダウンリンクパスロスを算出し、それによりアップリンクパスロスを得て、かつアップリンクのパワー割当に用いられ、発見信号測定はさらにスモールセルに報告し活性化或いはスモールセル収縮などの操作に用いられる。
【０１１４】
隣接したスモールセル、マクロセル或いはメイン制御ユニットは前記スモールセルから送信したパワーパラメータを受信し、前記スモールセル発見信号及びダウンリンクチャネル／信号へのパワー変化情況を了解し、自身の負荷情報に合わせ、エッジ端末に対し協力処理を行い、かつ受信したパワー情報を干渉調整メカニズムに用いられる。
【０１１５】
ステップ２０６において、基地局はステップ２０４で構成されたパワーによってダウンリンクチャネル、基準信号および発見信号などを送信し、続いてステップ２０２から２０６までのプロセスを繰り返す。
【０１１６】
スモールセルＣｅｌｌ＿１はそれぞれＰＤＳ１＿ＮＥＷ、ＰＤ１＿１＿ＮＥＷ及びＰＤ１＿２＿ＮＥＷ、ＰＣ１＿１＿ＮＥＷ及びＰＣ１＿２＿ＮＥＷで発見信号、ダウンリンクサービスチャネルと制御チャネルを送信する。
【０１１７】
スモールセルＣｅｌｌ＿２はパワー自己適応調整を行わないと、発見信号、ダウンリンクサービスチャネルと制御チャネルを送信するパワーを不変にする。
【０１１８】
発見信号の送信パワーを不変にするのは、セルをズーミングした後に、カバレッジ以外に新しく出現した端末をリアルタイムで発見し、再びリアルタイムでセルを拡大することができるためである。
【０１１９】
端末が報告した発見情報及び測定報告に基づいて、スモールセルはカバレッジ内の端末の分布概略とサービス情況を了解することができ、それによりダウンリンクチャネル、基準信号および送信信号の異なる方式のパワー自己適応調整を行い、スモールセルを収縮するときに、新しく出現した端末をリアルタイムに発見することができ、それによりスモールセル間の干渉という問題を解決し、密集スモールセル分布シーン下のシステム性能を向上させる。
【０１２０】
実施例二：
スモールセルＣｅｌｌ＿１、Ｃｅｌｌ＿２が配置され、別にＵＥ＿２１、ＵＥ＿２２、ＵＥ＿２３、ＵＥ＿２４及びＵＥ＿２５があり、かつＣｅｌｌ＿１に属し、ＵＥ＿１１、ＵＥ＿１２及びＵＥ＿１３はＣｅｌｌ＿２に属する。Ｃｅｌｌ＿１の負荷が比較的大きく、Ｃｅｌｌ＿２の負荷の比較的小さい。ＵＥ＿２１はＣｅｌｌ＿２に位置するが、Ｃｅｌｌ＿２の方向に向けて移動し、次第に二つのセルのエッジ交差領域に進む。
【０１２１】
二つのスモールセルの初期状態はいずれも従来のメカニズム或いは定格パワーによりダウンリンクチャネル、基準信号、及び発見信号などを送信する。スモールセルＣｅｌｌ＿１のカバレッジ内に複数の端末が存在し、かつ異なる位置に分布され、したがってＣｅｌｌ＿１は常に活性化状態にあると仮定することができ、かつスモールセルの通常チャネルのカバレッジのズーミングを行う必要がなく、隣接領域Ｃｅｌｌ＿２の接続端末が比較的少なく、かつ負荷が比較的小さい。
【０１２２】
本実施例は主にＣｅｌｌ＿１の接続端末が比較的多く、かつ負荷が比較的大きいときに、どのように新しく出現したエッジユーザを負荷の比較的小さい隣接セルに優先して接続するのを注目し、例えばＣｅｌｌ＿２或いはＭａｃｒｏ  Ｃｅｌｌである。新しい端末の接続を限定し、負荷問題の持続劣化を回避することができる。本実施例の方法フローは以下のステップを含む。
【０１２３】
ステップ３０１において、スモールセルは発見信号を送信する。
【０１２４】
スモールセルが休止状態にある場合、スモールセルは発見信号のみを送信し、他のダウンリンクチャネル或いは信号を送信せず、スモールセルが活性化状態にある場合、スモールセルは発見信号、及び他のダウンリンクチャネル或いは信号を送信する。
【０１２５】
スモールセルの発見信号、或いは他のダウンリンクチャネル或いは信号の送信パワーの初期化は従来のメカニズムにより、通常のカバレッジとサービス品質を確保することができる。
【０１２６】
本実施例において、Ｃｅｌｌ＿１とＣｅｌｌ＿２の初期状態はいずれも活性化状態であり、かつ初期は定格パワーでダウンリンク物理チャネルと信号を送信すると仮定する。
【０１２７】
ここでスモールセルＣｅｌｌ＿１の初期発見信号の送信パワーはＰＤＳ１で、サービスチャネルの送信パワーはＰＤ１＿１、ＰＤ１＿２、ＰＤ１＿３、ＰＤ１＿４、ＰＤ１＿５で、制御チャネルの送信パワーはＰＣ１＿１、ＰＣ１＿２、ＰＣ１＿３、ＰＣ１＿４、ＰＣ１＿５であると仮定する。
【０１２８】
ここでスモールセルＣｅｌｌ＿２の初期発見信号の送信パワーはＰＤＳ１で、サービスチャネルの送信パワーはＰＤ２＿１、ＰＤ２＿２、ＰＤ２＿３で、制御チャネルの送信パワーはＰＣ２＿１、ＰＣ２＿２、ＰＣ２＿３であると仮定する。
【０１２９】
なお、ダウンリンク各チャネル或いは信号の送信パワーは異なり、上記送信パワーの仮定は本発明の技術的解決手段を一般的かつ定性的に説明するのみである。そのほか、ＰＤＳＣＨとある動的パワー制御が存在するチャネルに対して、上記送信パワーは最大送信パワーＰｍａｘに相当することができ、即ちスモールセルを収縮し或いは拡大することによりＰｍａｘの値を調整し、続いてこの範囲内（０〜Ｐｍａｘ）で従来のプロトコルに基づいてダウンリンクパワー割当を行う。つまり、上記パワー仮定はこの情況下で相対静的なＰｍａｘを指し、実際の動的なダウンリンクパワー割当の送信値でなく、以下は類似する。
【０１３０】
ステップ３０２において、端末はスモールセルから送信した発見信号を受信し、かつ該発見信号の強度などの情報を測定する。
【０１３１】
発見信号の強度はＲＳＲＰ、ＲＳＲＱ或いはＳＩＮＲなどの測定パラメータにより定量的に測定することができる。
【０１３２】
ＵＥ＿１１、ＵＥ＿１２、ＵＥ＿１３、ＵＥ＿１４、ＵＥ＿１５はＣｅｌｌ＿１から送信した発見信号を受信し、かつ該発見信号の強度を測定し、それぞれＲ＿１１、Ｒ＿１２、Ｒ＿１３、Ｒ＿１４、Ｒ＿１５である。
【０１３３】
ＵＥ＿２１、ＵＥ＿２２、ＵＥ＿２３はＣｅｌｌ＿２から送信した発見信号を受信し、かつ該発見信号の強度を測定し、それぞれＲ＿２１、Ｒ＿２２、Ｒ＿２３である。
【０１３４】
このときＵＥ＿２１はまだＣｅｌｌ＿１から送信した発見信号のカバレッジ内に到着せず、Ｃｅｌｌ＿１から送信した発見信号を受信することができない。
【０１３５】
ステップ３０３において、端末は発見情報及び測定報告をマクロセル或いはスモールセルに報告する。
【０１３６】
ＵＥ＿１１、ＵＥ＿１２、ＵＥ＿１３、ＵＥ＿１４、ＵＥ＿１５はそれぞれステップ３０２における受信したＣｅｌｌ＿１発見情報及び測定報告をスモールセルＣｅｌｌ＿１に報告する。
【０１３７】
ＵＥ＿２１、ＵＥ＿２２、ＵＥ＿２３はそれぞれステップ２０２における受信したＣｅｌｌ＿２発見情報及び測定報告をスモールセルＣｅｌｌ＿２に報告する。
【０１３８】
ステップ３０４において、マクロセル或いはスモールセルは受信した発見情報及び測定報告に基づいて、スモールセルはどのような状態、或いはどのようなパワーでダウンリンクチャネル、基準信号と発見信号などを送信するかを決定する。
【０１３９】
ａ．発見信号を送信するスモールセルが休止状態にある場合、基地局はスモールセルを活性化するか否かを決定し、かつ端末が報告した測定報告に基づいて、どのようなパワーでダウンリンクチャネル、基準信号と発見信号などを送信するかを決定する。
【０１４０】
ｂ．発見信号を送信するスモールセルが活性化状態にある場合、基地局は端末が報告した測定報告に基づいて、相応なパワーの自己適応調整を行うか否かを決定し、即ちカバレッジをズーミングするか否かを決定する。
【０１４１】
●スモールセルの接続端末がある領域内に集中すると、例えばスモールセルの中心周囲であり、スモールセルのカバレッジの収縮を行うことができ、即ちダウンリンク物理チャネルの送信パワーを低減し、発見信号のパワーを不変にし、従来のカバレッジ内に新しく出現した端末をリアルタイムで発見できるのを確保する。
【０１４２】
●スモールセルのカバレッジを収縮した後に、収縮された領域で端末が出現し、例えばスモールセルを収縮した後のカバレッジは通常のカバレッジのセルの中心領域であり、しかし通常のカバレッジの中心以外、或いはセルエッジで端末が出現する場合、スモールセルのカバレッジを拡大することができ、即ちダウンリンク物理チャネルの送信パワーを高め、新しい端末の出現をカバーすることができ、発見信号のパワーを不変にする。
【０１４３】
●スモールセルの接続端末が比較的多く、スモールセルの負荷が比較的大きく、かつ分布が比較的分散し、スモールセルのカバレッジを収縮し或いは拡大するのを考慮せず、このときダウンリンクチャネルと基準信号の送信パワーを調整せず、発見信号のパワーを低減し、スモールセルエッジの端末に対し隠蔽作用を果たし、接続端末の過剰を回避する。
【０１４４】
Ｃｅｌｌ＿１はＵＥ＿１１、ＵＥ＿１２、ＵＥ＿１３、ＵＥ＿１４、ＵＥ＿１５から報告した測定報告を受信し、５つの端末をサービスするのを了解し、接続端末の数が比較的多く、かつ異なる領域に分布され、スモールセルの負荷が比較的大きい（端末の数が比較的多く或いは負荷が比較的大きい決定要件はスモールセルの実際負荷能力によって制定し、かつ測定の定量値を確定する）。スモールセルは負荷情況を二つの段階に分けると仮定し、かつ負荷閾をＬ＿ＴＨと定め、かつ現在の負荷をＬ＿ｎｏｗに確定する。
【０１４５】
ａ．Ｌ＿ｎｏｗ＜Ｌ＿ＴＨ、Ｃｅｌｌ＿１の負荷が比較的小さいのを説明し、かつ５つの端末が異なる位置に分布されるため、ダウンリンクチャネルと発見信号に対しパワー調整を行う必要がない。発見信号のパワーを調整しないのは、ＵＥ＿２１がＣｅｌｌ＿１のエッジ領域に進むと、Ｃｅｌｌ＿１から送信した発見信号をリアルタイムで受信することができ、切替要件を満たすと、Ｃｅｌｌ＿１に接続しサービスすることができることを意味する。
【０１４６】
ＰＤＳ１＿ＮＥＷ＝α＊ＰＤＳ１；
ＰＤ１＿１＿ＮＥＷ＝ＰＤ１＿１；ＰＣ１＿１＿ＮＥＷ＝ＰＣ１＿１；
……
ＰＤ１＿５＿ＮＥＷ＝ＰＤ１＿５；ＰＣ１＿５＿ＮＥＷ＝ＰＣ１＿５；
α∈［０，０．１，０．２，…，１］、このときαの値は１である。
【０１４７】
ｂ．Ｌ＿ｎｏｗ＞＝Ｌ＿ＴＨであると、Ｃｅｌｌ＿１の負荷が比較的大きいのを説明し、既存端末のサービス品質を確保するために、従来チャネルと基準シンボルの送信パワーを低減せず、発見信号のパワーを低減する。発見信号のパワー低減はＵＥ＿２１がＣｅｌｌ＿１のエッジ領域に進むと、Ｃｅｌｌ＿１から送信した発見信号をリアルタイムで受信することができなく、したがってＣｅｌｌ＿２に位置し続け、或いは新しい端末がＣｅｌｌ＿１とＣｅｌｌ＿２のエッジに出現し、まずＣｅｌｌ＿２の発見信号を受信し、かつ測定報告を報告し、基地局はＣｅｌｌ＿２で優先して新しい端末にサービスすることができる。
【０１４８】
ＰＤＳ１＿ＮＥＷ＝α＊ＰＤＳ１；
ＰＤ１＿１＿ＮＥＷ＝ＰＤ１＿１；ＰＣ１＿１＿ＮＥＷ＝ＰＣ１＿１；
……
ＰＤ１＿５＿ＮＥＷ＝ＰＤ１＿５；ＰＣ１＿５＿ＮＥＷ＝ＰＣ１＿５；
α∈［０，０．１，０．２，…，１］、このときαの値は１より小さい。
【０１４９】
同様に複数の負荷閾値を設定することができ、各閾値は異なる階段の発見信号のパワーに対応する。ズーミング因子αの値は実際システムで決定することができる。
【０１５０】
ステップ３０５において、スモールセルはステップ３０４における設定されたパワーパラメータを端末及び／又は隣接したスモールセル、マクロセル或いはメイン制御ユニットに通知する。
【０１５１】
端末から前記スモールセルまでのアップリンクパスロスはダウンリンク発見信号の測定によって推定することができ、したがって発見信号のパワーをＲＲＣシグナリングによって端末に通知する必要がある。
【０１５２】
スモールセルが端末に発見信号のパワーを通知する方式は以下のとおりである。ａ．直接調整後の発見信号のパワーをＲＲＣシグナリングによって端末に通知する。ｂ．発見信号のパワーとｒｅｆｅｒｅｎｃｅＳｉｇｎａｌＰｏｗｅｒの係数関係或いは偏差をＲＲＣシグナリングによって端末に通信する。ｃ．発見信号のパワー変化値をＲＲＣシグナリングによって端末に通知する。
【０１５３】
前記スモールセルがその発見信号のパワーを低減する前に、協力処理を行うために、発見信号のパワーをＸ２インタフェースによって隣接したスモールセル、マクロセル或いはクラスタ内のメイン制御ユニットに通知する必要がある。例えばＣｅｌｌ＿１はステップ３０４に基づいてその発見信号のパワーを低減するのを準備し、この前、二つのスモールセルのエッジ端末を優先してＣｅｌｌ＿２でサービスするために、それはこの情報をＸ２インタフェースによってＣｅｌｌ＿２に通知する必要がある。
【０１５４】
スモールセルがＸ２インタフェースによって、隣接したスモールセル、マクロセル或いはクラスタ内のメイン制御ユニットにそのダウンリンクパワーの調整を通知する方式は、以下のとおりである。ａ．発見信号のパワー、そのダウンリンクチャネル／信号のパワー。ｂ．発見信号のパワー調整値、そのダウンリンクチャネル／信号のパワー調整値。ｃ．発見信号とダウンリンクチャネル／信号のパワー調整との相対関係。
【０１５５】
端末は前記スモールセルから送信した発見信号のパワーパラメータを受信し、及び前記スモールセルから送信したダウンリンクチャネル、基準信号と発見信号などを受信する。端末は発見信号測定を用いてダウンリンクパスロスを算出し、それによりアップリンクパスロスを得て、かつアップリンクのパワー割当に用いられ、発見信号測定はさらにスモールセルに報告し活性化或いはスモールセル収縮などの操作に用いられる。
【０１５６】
隣接したスモールセル、マクロセル或いはメイン制御ユニットは前記スモールセルから送信したパワーパラメータを受信し、前記スモールセル発見信号及びダウンリンクチャネル／信号へのパワー変化情況を了解し、自身の負荷情報に合わせ、エッジ端末に対し協力処理を行い、かつ受信したパワー情報を干渉調整メカニズムに用いられる。
【０１５７】
ステップ３０６において、基地局はステップ３０４で構成されたパワーによってダウンリンクチャネル、基準信号と発見信号などを送信し、続いてステップ３０２からステップ３０６までのプロセスを繰り返す。
【０１５８】
スモールセルＣｅｌｌ＿１はそれぞれＰＤＳ１＿ＮＥＷ、ＰＤ１＿１＿ＮＥＷ、…、ＰＤ１＿５＿ＮＥＷ、ＰＣ１＿１＿ＮＥＷ、…、ＰＣ１＿５＿ＮＥＷで発見信号、ダウンリンクチャネルと制御チャネルを送信する。
【０１５９】
スモールセルのサービス端末の数の比較的多く、或いは負荷が比較的大きく、発見信号のパワーを低減してそのエッジに新しい出現した端末に対し隠蔽作用を果たし、これらの端末は優先して負荷の比較的小さい隣接領域或いはマクロセルでサービスする。
【０１６０】
端末が報告した発見情報及び測定報告に基づいて、スモールセルはカバレッジ内の端末の分布概略とサービス情況を了解することができ、それによりダウンリンクチャネル、基準信号と送信信号の異なる方式のパワー自己適応調整を行い、スモールセルの接続端末の数が比較的多く及び負荷が比較的大きいときに、発見信号のパワーをリアルタイムで低減することができ、それによりスモールセルの接続端末の数が増加し続けて引き起こした負荷がますます大きくなるという問題を解決し、密集スモールセル分布シーン下の負荷バランス能力とシステム性能を向上させる。
【０１６１】
以上は、本発明の最適的な実施例に過ぎなく、本発明の保護範囲を限定することに用いられるものではない。
【産業上の利用可能性】
【０１６２】
本発明の実施例に係る通知方法は、少なくとも発見信号パワーの不変を保持し或いは少なくとも発見信号のパワーを調整することにより自己適応調整を実現し、自己適応調整後に構成されたパワーパラメータを端末、及び／又は隣接したスモールセル、及び／又はマクロセルに通知する。本発明の実施例によれば、自己適応調整のパワーパラメータを端末、及び／又は隣接したスモールセル、及び／又はマクロセルに通知し、自己適応調整によってチャネルの適切なカバレッジ、及び端末協力時のシステム全体性能の最適化を確保することができる。
【図３】
2016529816.tif 000003
【図１】
2016529816.tif 000004
【図２】
2016529816.tif 000005
【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
ダウンリンクパワー調整の処理方法であって、
少なくとも発見信号パワーの不変を保持し或いは少なくとも発見信号のパワーを調整することにより自己適応調整を実現することを含み、
前記少なくとも発見信号パワーの不変を保持することにより自己適応調整を実現することは、ダウンリンクチャネルと基準信号の送信パワーを調整し、かつ発見信号のパワーを不変にすることにより自己適応調整を実現することである、前記方法。
【請求項２】
前記少なくとも発見信号のパワーを調整することにより自己適応調整を実現することは、
ダウンリンクチャネルと基準信号の送信パワーを調整せず、かつ発見信号のパワーを調整することにより自己適応調整を実現することを含むことを特徴とする
請求項１に記載の方法。
【請求項３】
自己適応調整後に構成されたパワーパラメータを端末に通知することを含み、
前記自己適応調整後に構成されたパワーパラメータを前記端末に通知することは、
前記スモールセルがダウンリンクパワーの自己適応調整を行った後に前記通知をトリガーし、前記スモールセルは前記パワーパラメータを端末に通知することを含み、前記パワーパラメータは少なくとも発見信号の関連パワーパラメータを含むことを特徴とする
請求項１に記載の方法。
【請求項４】
前記スモールセルが前記パワーパラメータを端末に通知する方式は、
前記スモールセルが、直接調整後の発見信号のパワーを無線リソース制御（ＲＲＣ）シグナリングによって前記端末に通知すること、
前記スモールセルが、発見信号のパワーと基準信号のパワー（ｒｅｆｅｒｅｎｃｅＳｉｇｎａｌＰｏｗｅｒ）の係数関係或いは偏差をＲＲＣシグナリングによって前記端末に通信すること、
前記スモールセルが、発見信号のパワー変化値をＲＲＣシグナリングによって前記端末に通知することのうちのいずれか一つを含むことを特徴とする
請求項３に記載の方法。
【請求項５】
自己適応調整後に構成されたパワーパラメータを隣接したスモールセル、及び／又はマクロセルに通知することを含み、
前記自己適応調整後に構成されたパワーパラメータを前記隣接したスモールセル、及び／又は前記マクロセルに通知することは、
前記スモールセルのカバレッジを収縮し或いは拡大する前に、或いは発見信号のパワーを調整する前に、隣接したスモールセルとエッジ端末に対し協力処理を行う必要があり、前記スモールセルが前記パワーパラメータを前記隣接したスモールセル、及び／又は前記マクロセルに通知することを含み、前記パワーパラメータは少なくとも発見信号の関連パワーパラメータを含むことを特徴とする
請求項１に記載の方法。
【請求項６】
前記スモールセルが前記パワーパラメータを前記隣接したスモールセル、及び／又は前記マクロセルに通知する方式は、
前記スモールセルが、発見信号のパワー、及び／又は他のダウンリンクチャネル／信号のパワーを、Ｘ２インタフェースによって前記隣接したスモールセル、及び／又は前記マクロセルに通知すること、
前記スモールセルが、発見信号のパワー調整値、及び／又は他のダウンリンクチャネル／信号のパワー調整値を、Ｘ２インタフェースによって前記隣接したスモールセル、及び／又は前記マクロセルに通知すること、
前記スモールセルが、発見信号とダウンリンクチャネル／信号パワー調整との相対関係を、Ｘ２インタフェースによって前記隣接したスモールセル、及び／又は前記マクロセルに通知することのうちのいずれか一つを含むことを特徴とする
請求項５に記載の方法。
【請求項７】
ダウンリンクパワー調整の処理装置であって、
少なくとも発見信号パワーの不変を保持し或いは少なくとも発見信号のパワーを調整することにより自己適応調整を実現するように構成される通知ユニットを含み、
前記通知ユニットは、さらに少なくとも発見信号パワーの不変を保持することにより自己適応調整を実現することは、ダウンリンクチャネルと基準信号の送信パワーを調整し、かつ発見信号のパワーを不変にするように構成される、前記装置。
【請求項８】
前記通知ユニットは、さらに少なくとも発見信号のパワーを調整することにより自己適応調整を実現することは、ダウンリンクチャネルと基準信号の送信パワーを調整せず、かつ発見信号のパワーを調整することにより自己適応調整を実現するように構成されることを特徴とする
請求項７に記載の装置。
【請求項９】
前記通知ユニットは、自己適応調整後に構成されたパワーパラメータを端末に通知するように構成され、前記スモールセルがダウンリンクパワーの自己適応調整を行った後に前記通知をトリガーし、前記スモールセルは前記パワーパラメータを端末に通知するように構成され、前記パワーパラメータは少なくとも発見信号の関連パワーパラメータを含むことを特徴とする
請求項７に記載の装置。
【請求項１０】
前記通知ユニットは、前記パワーパラメータを端末に通知する方式が、
直接調整後の発見信号のパワーを無線リソース制御（ＲＲＣ）シグナリングによって前記端末に通知すること、
発見信号のパワーと基準信号のパワー（ｒｅｆｅｒｅｎｃｅＳｉｇｎａｌＰｏｗｅｒ）の係数関係或いは偏差をＲＲＣシグナリングによって前記端末に通信すること、
発見信号のパワー変化値をＲＲＣシグナリングによって前記端末に通知することのうちのいずれか一つを含むように構成されることを特徴とする
請求項９に記載の装置。
【請求項１１】
ダウンリンクパワー調整の取得方法であって、
端末、及び／又は隣接したスモールセル、及び／又はマクロセルが、自己適応調整後に構成されたパワーパラメータを受信することを含むことを特徴とする、前記方法。
【請求項１２】
前記端末が前記パワーパラメータを受信した後に、
前記パワーパラメータに基づいて発見信号を送信するスモールセルのその発見信号のパワー、発見信号及びダウンリンクチャネル／信号を取得し、端末は発見信号の測定に基づいてダウンリンクパスロスを算出し、アップリンクパスロスを得て、かつアップリンクのパワー割当に用いられることを含むことを特徴とする
請求項１１に記載の方法。
【請求項１３】
前記隣接したスモールセル、及び／又は前記マクロセルが前記パワーパラメータを受信した後に、
前記パワーパラメータに基づいて発見信号を送信するスモールセルのその発見信号及びダウンリンクチャネル／基準信号のパワー変化情況を取得し、前記隣接したスモールセル、及び／又は前記マクロセル自身の負荷情況に合わせて、エッジ端末に対し協力処理を行い、前記パワーパラメータを干渉調整メカニズムに用いられることを含むことを特徴とする
請求項１１に記載の方法。
【請求項１４】
ダウンリンクパワー調整の取得装置であって、
端末、及び／又は隣接したスモールセル、及び／又はマクロセル側で自己適応調整後に構成されたパワーパラメータを受信するように構成されるパワーパラメータ受信ユニットを含む、前記装置。
【請求項１５】
前記パワーパラメータに基づいて発見信号を送信するスモールセルのその発見信号のパワー、発見信号及びダウンリンクチャネル／信号を取得し、端末側で発見信号の測定に基づいてダウンリンクパスロスを算出し、アップリンクパスロスを得て、かつアップリンクのパワー割当に用いられるように構成されるパワー割当ユニットを含むことを特徴とする
請求項１４に記載の装置。
【国際調査報告】
2016529816.tif 000006
2016529816.tif 000007
2016529816.tif 000008
2016529816.tif 000009
2016529816.tif 000010
2016529816.tif 000011